(57)【要約】【課題】未知のフォーマットを有するトランスポート・チャネルの消去検出。【解決手段】未知のフォーマットを有する断続的にアクティブなトランスポート・チャネルの消去検出を実行するために、受信機は、ＣＲＣ不合格を有する受信ブロックについてのエネルギー・メトリック及びシンボル・エラー・レート（ＳＥＲ）を決定する。受信機は、エネルギー・メトリックとＳＥＲ、エネルギー・メトリックとＳＥＲの推定された平均と標準偏差、及びエネルギー・メトリックとＳＥＲとの間の相関を示す相関係数に基づいて、受信ブロックについての非相関ランダム変数ｕとｖとを計算する。受信機は、次に少なくとも１つの判断基準に基づいて非相関ランダム変数ｕとｖを評価し、そして評価の結果に基づいて受信ブロックが消去ブロックであるか又はＤＴＸブロックであるかを宣言する。判断基準は、偽のアラームの目標確率に基づいて規定されることができ、そして受信ブロックについての別のメトリック、例えば、ゼロ状態ビットに基づいて調節されることができる。【選択図】図８
2008529454.tif 000002
【特許請求の範囲】
【請求項１】
受信ブロックがエラー検出コードを満足しないかどうかを確認すること；及び
該受信ブロックが該エラー検出コードを満足しない場合に、該受信ブロックについての少なくとも２つのメトリック及び該少なくとも２つのメトリックに対する相関係数に基づいて、該受信ブロックが消去ブロックであるか又は不連続伝送（ＤＴＸ）ブロックであるかどうかを決定すること、
を具備する通信システムにおいて消去検出を実行する方法。
【請求項２】
該少なくとも２つのメトリックは、エネルギー・メトリック及びシンボル・エラー・レート（ＳＥＲ）を備える、請求項１の方法。
【請求項３】
該受信ブロックが消去ブロックであるか又はＤＴＸブロックであるかどうかを該決定することは、
該少なくとも２つのメトリックの各々をガウス・ランダム変数として近似すること、
ガウス・ランダム変数として該少なくとも２つのメトリックを該近似すること及び該相関係数に基づいて少なくとも１つの判断基準を形成すること、及び
該ガウス・ランダム変数及び該少なくとも１つの判断基準に基づいて該受信ブロックに対して消去検出を実行すること、
を備える請求項１の方法。
【請求項４】
該受信ブロックが消去ブロックであるか又はＤＴＸブロックであるかどうかを該決定することは、
該少なくとも２つのメトリックに基づいて少なくとも２つの相関ランダム変数を計算すること、
該相関係数に基づいて該少なくとも２つの相関ランダム変数を少なくとも２つの非相関ランダム変数に変換すること、及び
該少なくとも２つの非相関ランダム変数及び少なくとも１つの判断基準に基づいて該受信ブロックに対して消去検出を実行すること、
を備える請求項１の方法。
【請求項５】
該受信ブロックが消去ブロックであるか又はＤＴＸブロックであるかどうかを該決定することは、
該少なくとも２つのメトリック及び該相関係数に基づいて少なくとも２つのランダム変数を計算すること、及び
該少なくとも２つのランダム変数及び少なくとも１つの判断基準に基づいて該受信ブロックに対して消去検出を実行すること、
を備える請求項１の方法。
【請求項６】
該受信ブロックについての少なくとも１つの別のメトリックに基づいて該少なくとも１つの判断基準を選択すること、
をさらに具備する請求項５の方法。
【請求項７】
偽のアラームの目標確率に基づいて該少なくとも１つの判断基準を形成すること、
をさらに具備する請求項５の方法。
【請求項８】
該少なくとも２つのメトリックの各々の平均と標準偏差を導出することをさらに具備し、そしてここにおいて、該受信ブロックが消去ブロックであるか又はＤＴＸブロックであるかどうかを該決定することは、該少なくとも２つのメトリックの平均と標準偏差にさらに基づく、
請求項１の方法。
【請求項９】
ＤＴＸブロックであると検出された受信ブロックに基づいて該少なくとも２つのメトリックの各々の該平均と標準偏差を更新すること、
をさらに具備する請求項８の方法。
【請求項１０】
ＤＴＸブロックであると検出された受信ブロック及び消去ブロックであると検出された受信ブロックに基づいて該少なくとも２つのメトリックの各々の該平均と標準偏差を更新すること、
をさらに具備する請求項８の方法。
【請求項１１】
ＤＴＸブロックであると検出された受信ブロックに基づいて該相関係数を更新すること、
をさらに具備する請求項１の方法。
【請求項１２】
ＤＴＸブロックであると検出された受信ブロック及び消去ブロックであると検出された受信ブロックに基づいて該相関係数を更新すること、
をさらに具備する請求項１の方法。
【請求項１３】
少なくとも２つのメトリックを決定すること；
該少なくとも２つのメトリックに対する相関係数を決定すること；
該少なくとも２つのメトリック及び該相関係数に基づいて少なくとも２つの仮定のどちらであるかを識別すること、
を具備する検出を実行する方法。
【請求項１４】
該少なくとも２つの仮定のどちらであるかを該識別することの結果に基づいて該相関係数を更新すること、
をさらに具備する請求項１３の方法。
【請求項１５】
該少なくとも２つのメトリックに対する統計値を決定することをさらに具備し、そしてここにおいて、該少なくとも２つの仮定は、該少なくとも２つのメトリックに対する該統計値に基づいてさらに識別される、
請求項１３の方法。
【請求項１６】
該少なくとも２つの仮定のどちらであるかを該識別することの結果に基づいて該少なくとも２つのメトリックに対する該統計値を更新すること、
をさらに具備する請求項１５の方法。
【請求項１７】
受信ブロックが巡回冗長検査（ＣＲＣ）試験に合格しないかどうかを確認すること；及び
該受信ブロックが該ＣＲＣ試験に合格しない場合に、
該受信ブロックについてのエネルギー・メトリックを得ること、
該受信ブロックについてのシンボル・エラー・レート（ＳＥＲ）を得ること、
該受信ブロックについての該エネルギー・メトリックと該ＳＥＲ及び該エネルギー・メトリックと該ＳＥＲに対する相関係数に基づいて、該受信ブロックが消去ブロックであるか又は不連続伝送（ＤＴＸ）ブロックであるかどうかを決定すること、
を具備する無線通信システムにおいて消去検出を実行する方法。
【請求項１８】
該受信ブロックが消去ブロックであるか又はＤＴＸブロックであるかどうかを該決定することは、
該受信ブロックについての該エネルギー・メトリックと該ＳＥＲ及び該相関係数に基づいて第１のランダム変数及び第２のランダム変数を計算すること、
少なくとも１つの判断基準に基づいて該第１のランダム変数及び第２のランダム変数を評価すること、
を備える請求項１７の方法。
【請求項１９】
該エネルギー・メトリックの平均と標準偏差を導出すること；及び
該ＳＥＲの平均と標準偏差を導出することをさらに具備し、そしてここにおいて、該第１のランダム変数及び第２のランダム変数は、該エネルギー・メトリックと該ＳＥＲの該平均と標準偏差にさらに基づいて計算される、
請求項１８の方法。
【請求項２０】
ＤＴＸブロックであると検出された受信ブロックに基づいて該エネルギー・メトリックの該平均と標準偏差、該ＳＥＲの該平均と標準偏差、及び該相関係数を更新すること、
をさらに具備する請求項１９の方法。
【請求項２１】
該受信ブロックについてのゼロ状態ビットに基づいて該少なくとも１つの判断基準を選択すること、
をさらに具備する請求項１８の方法。
【請求項２２】
受信ブロックがエラー検出コードを満足しないかどうかを確認するために動作するデコーダ；及び
該受信ブロックが該エラー検出コードを満足しない場合に、該受信ブロックについての少なくとも２つのメトリック及び該少なくとも２つのメトリックに対する相関係数に基づいて、該受信ブロックが消去ブロックであるか又は不連続伝送（ＤＴＸ）ブロックであるかどうかを決定するために動作する消去検出器、
を具備する通信システムにおける装置。
【請求項２３】
該消去検出器は、該少なくとも２つのメトリック及び該相関係数に基づいて少なくとも２つのランダム変数を計算するために、少なくとも１つの判断基準に基づいて該少なくとも２つのランダム変数を評価するために、そして該評価の結果に基づいて該受信ブロックが消去ブロックであるか又はＤＴＸブロックであるかどうかを宣言するために動作する、
請求項２２の装置。
【請求項２４】
該消去検出器は、該受信ブロックについての少なくとも１つの別のメトリックに基づいて該少なくとも１つの判断基準を選択するために動作する、請求項２３の装置。
【請求項２５】
該消去検出器は、該少なくとも２つのメトリックの各々の平均と標準偏差を導出するために、そして該少なくとも２つのメトリックの平均と標準偏差にさらに基づいて該受信ブロックが消去ブロックであるか又はＤＴＸブロックであるかどうかを決定するために動作する、請求項２２の装置。
【請求項２６】
該消去検出器は、該少なくとも２つのメトリックの各々の該平均と標準偏差を更新するために、そしてＤＴＸブロックであると検出された受信ブロックに基づいて該相関係数を更新するために動作する、請求項２５の装置。
【請求項２７】
制御データを搬送するトランスポート・チャネルを処理するために、そして該受信ブロックを与えるために動作する復調器、
をさらに具備する請求項２２の装置。
【請求項２８】
受信ブロックがエラー検出コードを満足しないかどうかを確認するための手段；及び
該受信ブロックが該エラー検出コードを満足しない場合に、該受信ブロックについての少なくとも２つのメトリック及び該少なくとも２つのメトリックに対する相関係数に基づいて、該受信ブロックが消去ブロックであるか又は不連続伝送（ＤＴＸ）ブロックであるかどうかを決定するための手段、
を具備する通信システムにおける装置。
【請求項２９】
該受信ブロックが消去ブロックであるか又はＤＴＸブロックであるかどうかを決定するための該手段は、
該少なくとも２つのメトリック及び該相関係数に基づいて少なくとも２つのランダム変数を計算するための手段、
少なくとも１つの判断基準に基づいて該少なくとも２つのランダム変数を評価するための手段、及び
該評価の結果に基づいて該受信ブロックが消去ブロックであるか又はＤＴＸブロックであることを宣言するための手段、
を備える請求項２８の装置。
【請求項３０】
該受信ブロックについての少なくとも１つの別のメトリックに基づいて該少なくとも１つの判断基準を選択するための手段、
をさらに具備する請求項２９の装置。
【請求項３１】
該少なくとも２つのメトリックの各々の平均と標準偏差を導出するための手段をさらに具備し、そしてここにおいて、該受信ブロックが消去ブロックであるか又はＤＴＸブロックであるかどうかを決定するための該手段は該少なくとも２つのメトリックの平均と標準偏差にさらに基づく、
請求項２８の装置。
【請求項３２】
ＤＴＸブロックであると検出された受信ブロックに基づいて該少なくとも２つのメトリックの各々の該平均と標準偏差を更新するための手段、及び
ＤＴＸブロックであると検出された該受信ブロックに基づいて該相関係数を更新するための手段、
をさらに具備する請求項３１の装置。
【請求項３３】
受信ブロックがエラー検出コードを満足しないかどうかを確認するため；及び
該受信ブロックが該エラー検出コードを満足しない場合に、該受信ブロックについての少なくとも２つのメトリック及び該少なくとも２つのメトリックに対する相関係数に基づいて、該受信ブロックが消去ブロックであるか又は不連続伝送（ＤＴＸ）ブロックであるかどうかを決定するため、
に無線デバイスにおいて動作する命令を記憶するためのプロセッサ読み取り可能な媒体。
【請求項３４】
該少なくとも２つのメトリック及び該相関係数に基づいて少なくとも２つのランダム変数を計算するため、
少なくとも１つの判断基準に基づいて該少なくとも２つのランダム変数を評価するため、及び
該評価の結果に基づいて該受信ブロックが消去ブロックであるか又はＤＴＸブロックであるかを宣言するため、
に動作する命令をさらに記憶するための、請求項３３のプロセッサ読み取り可能な媒体。
【請求項３５】
エラー検出コード、受信ブロックについての少なくとも２つのメトリック、及び該少なくとも２つのメトリック対する相関係数に基づいて  該受信ブロックが良いブロックであるか、消去ブロックであるか、又は不連続伝送（ＤＴＸ）ブロックであるかどうかを確認すること；及び
該受信ブロックが良いブロックであるか、消去ブロックであるか、又はＤＴＸブロックであるかを確認されるかどうかに基づいて信号−対−ノイズ−プラス−干渉比（ＳＩＲ）目標値を調節すること、
を具備する通信システムにおいてデータ伝送のために出力制御を実行する方法。
【請求項３６】
該受信ブロックが良いブロックであるか、消去ブロックであるか、又はＤＴＸブロックであるかどうかを該確認することは、
該エラー検出コードに基づいて該受信ブロックが良いブロックであるかどうかを決定すること、及び
該受信ブロックが良いブロックでない場合に、該受信ブロックについての該少なくとも２つのメトリック及び該相関係数に基づいて該受信ブロックが消去ブロックであるか又はＤＴＸブロックであるかどうかを決定すること、
を備える請求項３５の方法。
【請求項３７】
該受信ブロックが消去ブロックであるか又はＤＴＸブロックであるかどうかを該決定することは、
該少なくとも２つのメトリック及び該相関係数に基づいて少なくとも２つのランダム変数を計算すること、
少なくとも１つの判断基準に基づいて該少なくとも２つのランダム変数を評価すること、及び
該評価の結果に基づいて該受信ブロックが消去ブロックであるか又はＤＴＸブロックであるかを宣言すること、
を備える請求項３６の方法。
【請求項３８】
該ＳＩＲ目標値を該調節することは、
該受信ブロックが良いブロックである場合に、該ＳＩＲ目標値を減少させること、
該受信ブロックが消去ブロックである場合に、該ＳＩＲ目標値を増加させること、及び
該受信ブロックがＤＴＸブロックである場合に、該ＳＩＲ目標値を維持すること、
を備える請求項３５の方法。
【請求項３９】
エラー検出コード、受信ブロックについての少なくとも２つのメトリック、及び該少なくとも２つのメトリックに対する相関係数に基づいて該受信ブロックが良いブロックであるか、消去ブロックであるか、又は不連続伝送（ＤＴＸ）ブロックであるかどうかを確認するための手段；及び
該受信ブロックが良いブロックであるか、消去ブロックであるか、又はＤＴＸブロックであるかが確認されるかどうかに基づいて信号−対−ノイズ−プラス−干渉比（ＳＩＲ）目標値を調節するための手段、
を具備する通信システムにおける装置。
【請求項４０】
該受信ブロックが良いブロックであるか、消去ブロックであるか、又はＤＴＸブロックであるかどうかを確認するための該手段は、
該エラー検出コードに基づいて該受信ブロックが良いブロックであるかどうかを決定するための手段、及び
該受信ブロックが良いブロックでない場合に、該受信ブロックについての該少なくとも２つのメトリック及び該相関係数に基づいて該受信ブロックが消去ブロックであるか又はＤＴＸブロックであるかどうかを決定するための手段、
を備える請求項３９の装置。
【請求項４１】
該受信ブロックが消去ブロックであるか又はＤＴＸブロックであるかどうかを決定するための該手段は、
該少なくとも２つのメトリック及び該相関係数に基づいて少なくとも２つのランダム変数を計算するための手段、
少なくとも１つの判断基準に基づいて該少なくとも２つのランダム変数を評価するための手段、及び
該評価の結果に基づいて該受信ブロックが消去ブロックであるか又はＤＴＸブロックであるかを宣言するための手段、
を備える請求項４０の装置。
【請求項４２】
該ＳＩＲ目標値を調節するための該手段は、
該受信ブロックが良いブロックである場合に、該ＳＩＲ目標値を減少させるための手段、
該受信ブロックが消去ブロックである場合に、該ＳＩＲ目標値を増加させるための手段、及び
該受信ブロックがＤＴＸブロックである場合に、該ＳＩＲ目標値を維持するための手段、
を備える請求項３９の装置。
【発明の詳細な説明】
【技術分野】
【０００１】
本発明は、一般に通信に係り、そしてより詳しくは無線通信システムにおいて消去検出を実行するための技術に関する。
【背景技術】
【０００２】
無線通信システムにおいて、無線デバイス（例えば、セルラ電話機）は、ダウンリンク及びアップリンク上の伝送を介して１又はそれより多くの基地局と通信する。ダウンリンク（すなわち、順方向リンク）は、基地局から無線デバイスへの通信リンクを呼び、そしてアップリンク（すなわち、逆方向リンク）は、無線デバイスから基地局への通信リンクを呼ぶ。符号分割多元接続（ＣＤＭＡ：Code Division Multiple Access）システムにおいて、基地局は、複数の無線デバイスに同時にデータを伝送することが可能である。基地局において利用可能な全伝送出力が、基地局のダウンリンク容量を決定する。全伝送出力のある部分は、各アクティブな無線デバイスに割り当てられ、その結果、全てのアクティブな無線デバイスのために使用する合算伝送出力は、全伝送出力よりも少ない、又はそれに等しくなる。
【０００３】
ダウンリンク容量を最大にするために、出力制御手段（power control mechanism）が、各無線デバイスに対して一般的に使用される。出力制御手段は、通常２つの出力制御ループを用いて与えられ、それは多くの場合“内部”ループ及び“外部”ループと呼ばれる。内部ループは、無線デバイスへのデータ伝送のために使用する伝送出力を調節し、その結果、受信した信号品質、それは信号−対−ノイズ−プラス−干渉比（ＳＩＲ：signal-to-noise-plus-interference ratio）によって定量化されることができる、は、ＳＩＲ目標値で維持される。外部ループは、ＳＩＲ目標値を調節して、所望のレベルの性能を実現する、それはブロック・エラー・レート（ＢＬＥＲ：block error rate）目標値及び／又はある別の目標達成基準によって定量化されることができる。
【０００４】
外部ループは、無線デバイスによって受信されたデータ・ブロックの状態に基づいてＳＩＲ目標値を調節する。外部ループは、“良い”データ・ブロックが受信される場合、小さなＤＯＷＮステップだけＳＩＲ目標値を減少させ、“不良（bad）”データ・ブロックが受信される場合、大きなＵＰステップだけＳＩＲ目標値を増加させる。ＤＯＷＮステップ及びＵＰステップは、ＢＬＥＲ目標値及びおそらく他の要因に基づいて選択される。このＳＩＲ目標値調節は、各受信したデータ・ブロックの状態が信頼性良く決定されることが可能であると仮定する。これは、通常、伝送の前に各データ・ブロックに巡回冗長検査（ＣＲＣ：cyclic redundancy check）値を発生させそして付け加えることによって実現されることが可能である。無線デバイスは、それから自身のＣＲＣ値に基づいて各受信したデータ・ブロックを検査することが可能であり、データ・ブロックが正しく復号された（良い）か又はエラーで復号された（不良）かどうかを決定する。
【０００５】
ＣＤＭＡシステムは、複数のトランスポート・チャネルを使用して及び／又は複数のフォーマットを用いてデータ伝送をサポートできる。１つのトランスポート・チャネルは、継続的にデータ・ブロックを搬送でき、そしてそのトランスポート・チャネル上に送る各データ・ブロックに付け加えられるべきＣＲＣ値を必要とするフォーマットを使用することができる。別の１つのトランスポート・チャネルは、断続的な方法で動作されることができ、その結果、データ・ブロックは、そのトランスポート・チャネルのある時間又は大部分の時間に伝送されない。この断続的な伝送は、不連続伝送（ＤＴＸ：discontinuous transmission）と一般に呼ばれる。データ・ブロックは、伝送がない期間のあいだトランスポート・チャネル上に伝送されず、そして非伝送ブロックはＤＴＸブロックと呼ばれる。断続的にアクティブなトランスポート・チャネル上のデータ伝送に対する出力制御は、困難な課題である。これは、そのようなトランスポート・チャネル上の各受信ブロックの真の状態−受信ブロックが良いブロック、ＤＴＸブロック、又は不良ブロックであるかどうか−を正確に確認することが困難であり得るためである。
【０００６】
それゆえ、断続的にアクティブなトランスポート・チャネルに関する各受信ブロックの状態を信頼性良く決定するための技術に対するこの分野における必要性がある。
【発明の開示】
【０００７】
［サマリー］
未知のフォーマットを有する断続的にアクティブなトランスポート・チャネルの消去検出を実行するための技術が、本明細書中に開示される。トランスポート・チャネルが断続的にアクティブであるために、データ・ブロックは、各伝送時間インターバル（ＴＴＩ：transmission time interval）においてトランスポート・チャネル上に送られることがある、又は送られないことがある。トランスポート・チャネルに関するフォーマットが未知であるために、受信機は、受信ブロックが伝送されたブロックに対してであるか非伝送ブロックに対してであるかどうかを知らない。そのようなトランスポート・チャネルに関して、受信機は、ＣＲＣに基づいて受信ブロックが良いブロックであるかどうかをまず決定することが可能である。受信ブロックがＣＲＣを満足しない（fail）場合、受信機は、受信ブロックが消去ブロックであるかＤＴＸブロックであるかどうかを決定するために消去検出を実行することが可能である。
【０００８】
消去検出を実行するための特定の実施形態では、受信機は、ＣＲＣ不合格（failure）を有する受信ブロックについてのエネルギー・メトリック及びシンボル・エラー・レート（ＳＥＲ：symbol error rate）を決定する。エネルギー・メトリックとＳＥＲ、エネルギー・メトリックとＳＥＲとの推定された平均と標準偏差、及びエネルギー・メトリックとＳＥＲとの間の相関を示す相関係数に基づいて、受信機は、受信ブロックに対する非相関ランダム変数ｕとｖを計算する。受信機は、それから少なくとも１つの判断基準に基づいて非相関ランダム変数ｕとｖを評価し、そしてこの評価の結果に基づいて受信ブロックが消去ブロックであるかＤＴＸブロックであるかを宣言する。少なくとも１つの判断基準は、偽のアラームの目標確率に基づいて規定されることができ、そして受信ブロックについての１又はそれより多くの別のメトリック、例えば、ゼロ状態ビット、に基づいてさらに選択される又は調節されることができる。
【０００９】
本発明の様々な態様及び実施形態が、以下にさらに詳細に説明される。
【００１０】
［詳細な説明］
本発明の特徴及び本質は、図面を使用して以下に述べる詳細な説明から、さらに明確になるであろう。図面では、同じ参照符号は一貫して対応するものを識別する。
【００１１】
用語“具体例の”は、“例、事例、又は例示として働くこと”を意味するように本明細書中では使用される。“具体例の“として本明細書中で記載されたいずれかの実施形態又は設計が、その他の実施形態又は設計よりも好ましい又は優位であるとして必ずしも解釈される必要はない。
【００１２】
図１は、無線通信システム１００を示す。システム１００は、複数の基地局１１０を含み、それは複数の無線デバイス１２０に対する通信可能範囲を提供する。基地局は、一般的に無線デバイスと通信する固定局であり、そして同様に、ノードＢ、基地トランシーバ・システム（ＢＴＳ：base transceiver system）、アクセス・ポイント、又はある別の用語で呼ばれることがある。無線デバイスは、固定である又は移動可能であることができ、そして同様に、ユーザ装置（ＵＥ：user equipment）、移動局、ユーザ端末、ハンドセット、加入者ユニット、又はある別の用語で呼ばれることがある。無線デバイスは、任意の所定の時間にダウンリンク上で１又は複数の基地局と通信することができる、及び／又はアップリンク上で１又は複数の基地局と通信することができる。システム・コントローラ１３０は、複数の基地局１１０に接続し、そしてこれらの基地局に対する調整及び制御を提供する。システム・コントローラ１３０は、同様に、無線ネットワーク・コントローラ（ＲＮＣ：radio network controller）、基地局コントローラ（ＢＳＣ：base station controller）、又はある別の用語で呼ばれることがある。
【００１３】
本明細書中に記載される検出技術は、ＣＤＭＡシステム、時分割多元接続（ＴＤＭＡ：Time Division Multiple Access）システム、周波数分割多元接続（ＦＤＭＡ：Frequency Division Multiple Access）システム、直交周波数分割多元接続（ＯＦＤＭＡ：Orthogonal Frequency Division Multiple Access）システム、及びその他のような様々な通信システムに対して使用されることができる。ＣＤＭＡシステムは、ｃｄｍａ２０００及び広帯域−ＣＤＭＡ（Ｗ−ＣＤＭＡ：Wideband-CDMA）のような１又はそれより多くのＣＤＭＡ無線通信接続技術（ＲＡＴｓ：radio access technologies）を提供することができる。ｃｄｍａ２０００は、ＩＳ−２０００規格、ＩＳ−８５６規格、及びＩＳ−９５規格をカバーする。ＴＤＭＡシステムは、移動通信のための広域システム（ＧＳＭ：Global System for Mobile Communications）のような１又はそれより多くのＴＤＭＡ  ＲＡＴを提供することができる。これらの様々なＲＡＴ及び規格は、この分野において周知である。検出技術は、しかもダウンリンク伝送と同様にアップリンク伝送に対しても使用されることができる。明確化のために、これらの技術は、Ｗ−ＣＤＭＡシステムにおける音声通話のダウンリンク伝送に対して以下に具体的に記述される。
【００１４】
Ｗ−ＣＤＭＡにおいて、基地局は、無線通信リンク制御（ＲＬＣ：Radio Link Control）層における１又はそれより多くの論理チャネルを使用して無線デバイスにデータ及び信号を伝送する。データ伝送のために一般に使用する論理チャネルは、専用トラフィック・チャネル（ＤＴＣＨ：dedicated traffic channel）及び専用制御チャネル（ＤＣＣＨ：dedicated control channel）を含む。論理チャネルは、中間アクセス制御（ＭＡＣ：Medium Access Control）層でトランスポート・チャネルにマッピングされる。トランスポート・チャネルは、１又はそれより多くのサービス（例えば、音声、ビデオ、パケット・データ、及びその他）のためのデータを搬送することができ、そして各トランスポート・チャネルは、別々に符号化されることができる。トランスポート・チャネルは、物理層で物理チャネルにさらにマッピングされる。Ｗ−ＣＤＭＡに関するチャネル構造は、文書３ＧＰＰ  ＴＳ２５．２１１に記載されており、それは公に利用可能である。
【００１５】
各トランスポート・チャネルは、（１）１０、２０、４０、又は８０ミリ秒（ｍｓ）フレームに及ぶことができるＴＴＩ、及び（２）そのトランスポート・チャネルに対して使用可能な１又はそれより多くのトランスポート・フォーマット含んでいるトランスポート・フォーマット・セット、と関係する。各トランスポート・フォーマットは、（１）データの各ブロック（すなわち、トランスポート・ブロック）のサイズ、（２）各ＴＴＩのあいだのトランスポート・ブロックの数、（３）各コード・ブロックの長さ、（４）ＴＴＩのあいだに使用するコーディング方式、のような様々な処理パラメータを規定する。ＢＬＥＲ目標値は、同様に、各トランスポート・チャネルに対して規定されることができ、それは異なるトランスポート・チャネルが異なるサービスの品質（ＱｏＳ：quality of service）を実現することを可能にする。各トランスポート・チャネルは、異なるＳＩＲ目標値を必要とすることがあり、それはそのトランスポート・チャネルに対するＢＬＥＲ目標値及び（複数の）トランスポート・フォーマットに依存する。
【００１６】
トランスポート・チャネルの別のセットは、異なるタイプの通話（例えば、音声、データ・パケット、及びその他）に対して、そして同じタイプの別の通話に対して使用されることができる。Ｗ−ＣＤＭＡにおける音声通話は、適応多重レート（ＡＭＲ：adaptive multi rate）コーディング方式を使用して処理される、それはクラスＡ，Ｂ，及びＣとしばしば呼ばれる３つのデータ・ビットのクラスへとスピーチを符号化する。これらの３つのクラスは、異なるレベルの重要性を有し、ＲＬＣ層においてＤＴＣＨに対する３つのサブフローとして処理され、そしてＭＡＣ層において３つのトランスポート・チャネル上で送られる。音声通話のための制御データは、ＲＬＣ層においてＤＣＣＨとして処理される。
【００１７】
図２は、３ＧＰＰ  ＴＳ  ３４．１０８、６．１０．２．４節に記載されたように、Ｗ−ＣＤＭＡにおいて具体例の音声通話のために使用されるトランスポート・チャネルを示す。トランスポート・チャネル１から４は、ＭＡＣ層における専用トランスポート・チャネル（ＤＣＨ：dedicated transport channel）の４つの例である。トランスポート・チャネル１，２及び３は、それぞれクラスＡ，Ｂ及びＣに対するスピーチ・データを搬送し、そして２０ｍｓのＴＴＩを有する。トランスポート・チャネル４は、音声通話のための制御データを搬送し、そして４０ｍｓのＴＴＩを有する。トランスポート・チャネル１，２，３及び４は、同様に、それぞれＴｒＣｈ  Ａ，Ｂ，Ｃ及びＤとも呼ばれる。ＴｒＣｈ  Ａは、音声アクティビティがあるかどうかに拘らず、各ＴＴＩにおいて３つの可能なトランスポート・フォーマットのうちの１つを使用してＣＲＣを有するトランスポート・ブロックを搬送する。ＴｒＣｈ  Ｂ，Ｃ及びＤの各々は、ＴＴＩにおいてトランスポート・チャネル上で送るべきいずれかのデータがあるかどうかに応じて、各ＴＴＩにおいてトランスポート・ブロック又はＤＴＸブロックを搬送することができる。トランスポート・ブロックは、ＴｒＣｈ  ＢとＣ上でＣＲＣなしで送られ、そしてＴｒＣｈ  Ｄ上でＣＲＣとともに送られる。全ての４つのトランスポート・ブロックは、多重化され、そしてダウンリンク専用物理チャネル（ダウンリンクＤＰＣＨ）上で送られる。
【００１８】
図３は、Ｗ−ＣＤＭＡにおけるダウンリンクＤＰＣＨのフォーマットを示す。ダウンリンクＤＰＣＨは、ダウンリンク専用物理データ・チャネル（ＤＰＤＣＨ：downlink dedicated physical data channel）及びダウンリンク専用物理制御チャネル（ＤＰＤＣＨ：downlink dedicated physical control channel）から構成され、それらは時分割多重化される。ＤＰＤＣＨは、（例えば、ＴｒＣｈ  Ａ，Ｂ及びＣのための）トランスポート・チャネル・データを搬送し、ＤＰＣＣＨは、（例えば、ＴｒＣｈ  Ｄのための）制御データを搬送する。データは、１０ｍｓ無線通信フレームにおいてダウンリンクＤＰＣＨ上で送られる。各無線通信フレームは、１５のスロットへと分割される。各スロットは、２つのデータ・フィールド３２０ａと３２０ｂ、伝送出力制御（ＴＰＣ：transmit power control）フィールド３２２、トランスポート・フォーマット組み合わせ指標（ＴＦＣＩ：transport format combination indicator）フィールド３２４、及びパイロット・フィールド３２６へと区分される。ＴＰＣフィールド３２２は、ＴＰＣコマンドを搬送し、それは無線デバイスが自身のアップリンク伝送出力を上げるか下げるかのどちらかに調節するように管理する。ＴＦＣＩフィールド３２４は、ダウンリンクＤＰＣＨに対するトランスポート・フォーマット情報を搬送する。パイロット・フィールド３２６は、無線デバイスに対する専用のパイロットを搬送する。各フィールドの期間は、ダウンリンクＤＰＣＨに対して使用されるスロット・フォーマットによって決定される。
【００１９】
ＴＦＣＩフィールド３２４は、現在のフレーム中でダウンリンクＤＰＣＨによって搬送されるトランスポート・チャネルに対して使用されるトランスポート・フォーマットに関する情報を搬送する。各トランスポート・チャネルに関するトランスポート・フォーマット情報は、そのトランスポート・チャネルに対するＴＴＩのあいだ一定のままである。無線デバイスは、トランスポート・チャネル上で送られたトランスポート・ブロック処理するために（例えば、復号するために）トランスポート・フォーマット情報を使用する。基地局は、トランスポート・フォーマット情報を省略すること（送らないこと）を選ぶことができる。このケースでは、無線デバイスは、伝送されたトランスポート・ブロックを再生するためにブラインド・トランスポート・フォーマット検出（ＢＴＦＤ：blind transport format detection）を実行する。ＢＴＦＤに関して、無線デバイスは、そのトランスポート・チャネルに対して可能な各々のトランスポート・フォーマットにしたがって各トランスポート・チャネルに対する受信ブロックを処理する、そしてそのトランスポート・チャネルに対して使用されてきている最も可能性があると見られるトランスポート・フォーマットに対して復号されたブロックを与える。無線デバイスは、ＢＴＦＤを用いて手助けするために（もしあるならば）トランスポート・ブロック中に含まれるＣＲＣを使用する。ＢＴＦＤは、Ｗ−ＣＤＭＡにおける音声通話のために使用され、そして同様に別のタイプの通話のために使用されることができる。
【００２０】
１．消去検出
音声通話に関して、ＤＣＣＨのための制御データは、２つのトランスポート・フォーマットのうちの１つを使用してＴｒＣｈ  Ｄ上で送られる、それは１×１４８及び０×１４８と呼ばれる。１×１４８フォーマットは、ＣＲＣを有するトランスポート・ブロックの伝送に対してである。０×１４８フォーマットは、ＣＲＣのないＤＴＸブロックの伝送に対してである。
【００２１】
無線デバイスは、トランスポート・フォーマット情報がそれに対して未知である各トランスポート・チャネルに対してＢＴＦＤを実行する。例えば、無線デバイスは、このトランスポート・チャネル上で送られる全てのトランスポート・ブロックが再生されることが可能であることを確実にするために常にＴｒＣｈ  Ｄに対してＢＴＦＤを実行する。無線デバイスは、ＴｒＣｈ  Ｄ上の各受信ブロックを復号しようと試み、各復号されたブロックについてＣＲＣテスト／チェックを実行し、そして受信ブロックに対する２つの可能性のある結果のうちの１つを与える。
【００２２】
・ＣＲＣ合格（success）−復号されたブロックがＣＲＣテストに合格することを示す、そして
・ＣＲＣ不合格（failure）−復号されたブロックがＣＲＣテストに合格しないことを示す。
【００２３】
トランスポート・ブロックが１×１４８フォーマットを使用して送られ、そして無線デバイスにより上手く復号された場合に、ＣＲＣ合格は起きる。ＣＲＣ不合格は、（１）トランスポート・ブロックが１×１４８フォーマットを用いて送られるが、無線デバイスによってエラーで復号されること、又は（２）ＤＴＸブロックが０×１４８フォーマットで送られること、のいずれかからの結果であり得る。受信ブロックが１×１４８フォーマットを用いて送られたか又は０×１４８フォーマットを用いて送られたかどうかを無線デバイスは知らないので、ＣＲＣ不合格が上記の（１）又は（２）のケースのためであったかどうかについての曖昧さがある。ＣＲＣ不合格に遭遇したときに、受信ブロックが消去ブロックであるかＤＴＸブロックであるかどうかを信頼性良く決定することが必要であり得る。その消去ブロックは、伝送されたがエラーで復号されたトランスポート・ブロックである。表１は、トランスポート・フォーマットが未知であるときに、受信ブロックに対する可能性のある状態を列挙する。
【表１】
2008529454.tif 000003
【００２４】
無線デバイスは、消去検出を実行して、ＣＲＣ不合格を有する受信ブロックが消去ブロックであるかＤＴＸブロックであるかどうかを決定する。消去検出は、様々なメトリック、例えば、ＳＥＲ、エネルギー・メトリック（ＥＭ：energy metric）、ゼロ状態ビット（ＺＳＢ：zero state bit）、及びその他に基づいて実行されることができる。
【００２５】
ＳＥＲは、ブロック中のシンボルの全数に対する受信ブロック中のシンボル・エラーの数の比である。基地局において、トランスポート・ブロック中のデータ・ビットは、シンボルを発生させるために符号化される、それはさらに処理されそして伝送される。無線デバイスにおいて、受信ブロックに関する受信シンボルは、復号されて復号されたビットを得る、それは基地局によって実行された同じ方法で再符号化されることができて、再符号化されたシンボルを発生させる。無線デバイスは、受信シンボルをスライスすることができて、ハード判断シンボル（各々が「０」又は「１」のいずれかの値を有する）を取得し、ハード判断シンボルを再符号化されたシンボルに対して比較してシンボル・エラーを識別し、そして受信ブロックについてのＳＥＲを計算する。全てのトランスポート・ブロックが同じ数のブロックを含んでいる場合、それはＴｒＣｈ  Ｄに対するケースである、ブロック中のシンボルの全数によって規格化される代わりに、シンボル・エラーの数は、ＳＥＲとして直接使用されることができる。以下の説明では、シンボル・エラーの数及びＳＥＲは、互換的に使用される。
【００２６】
受信ブロックについてのエネルギー・メトリックは、様々な方法で計算されることができる。１つの実施形態では、エネルギー・メトリックは、（１）ブロック中の各受信ブロックのエネルギーを決定すること、そして（２）ブロック中の全ての受信シンボルのエネルギーを積算すること、によって計算される。別の１つの実施形態では、エネルギー・メトリックは、（１）対応する再符号化されたシンボルと同じ極性を有する全ての“良い”受信シンボルのエネルギーを決定すること、（２）対応する再符号化されたシンボルと反対の極性を有する全ての“不良”受信シンボルのエネルギーを決定すること、そして（３）良い受信シンボル・エネルギーから不良受信シンボル・エネルギーを引き算してエネルギー・メトリックを得ること、によって計算される。さらに別の１つの実施形態では、エネルギー・メトリックは、（１）ブロック中の各受信ブロックと対応する再符号化されたシンボルとを掛け算して受信ブロックについての相関エネルギーを得ること、そして（２）ブロック中の全ての受信シンボルについての相関エネルギーを積算してエネルギー・メトリックを得ること、によって計算される。一般に、エネルギー・メトリックは、ブロックに対する実際の受信エネルギーの推定値であり、そして様々な方法で計算されることができる。エネルギー・メトリックは、同様にブロック・エネルギー又はある別の用語によって呼ばれることができる。
【００２７】
ゼロ状態ビットは、受信ブロックに対する既知の状態にビタビ・デコーダが出会ったかどうかを知らせる。各トランスポート・ブロックは、Ｋの束縛長を有する畳み込みエンコーダによって符号化される前に、Ｋ−１テール・ビット（それは一般的に全てゼロである）を付け加えられる。ビタビ・デコーダがＫ−１テール・ビットに対して全てゼロを得る場合に、ゼロ状態ビットは「１」に設定され、そしてそれ以外は「０」に設定される。ＣＲＣが不合格であるが、ゼロ状態ビットが設定される場合に、受信ブロックは、ＤＴＸブロックというよりは消去ブロックである可能性が高い。
【００２８】
一般に、任意の数のメトリック及び任意のタイプのメトリックが、消去検出のために使用されることができる。明確化のために、以下の記述は、エネルギー・メトリック、ＳＥＲ、及びゼロ状態ビットを使用する消去検出に対してである。
【００２９】
図４Ａ及び図４Ｂは、２つの異なる動作シナリオに対する伝送されたトランスポート・ブロック（又は、単純に、伝送ブロック）及びＤＴＸブロックの分布を示す。各図について、横軸はエネルギー・メトリックを表し、そして縦軸はシンボル・エラーの数（すなわちＳＥＲ）を表す。各動作シナリオに関して、エネルギー・メトリック及びシンボル・エラーの数は、音声通話に対するＴｒＣｈ  Ｄ上の伝送ブロック（１×１４８フォーマットを用いて送られる）及びＤＴＸブロック（０×１４８フォーマットを用いて送られる）の大きな集合に対して決定される。各動作シナリオに関して、各伝送ブロック及び各ＤＴＸブロックは、そのエネルギー・メトリックとシンボル・エラーの数によって決められる座標で関係する図中にプロットされる。
【００３０】
図４Ａ及び図４Ｂに示されるように、エネルギー・メトリックとシンボル・エラーの数を使用してプロットされると、各動作シナリオに対する伝送ブロックの分布は、クラスタ４１０を形成する。同様に、各動作シナリオに対するＤＴＸブロックの分布は、別の１つのクラスタ４２０を形成する。ＤＴＸブロックのエネルギーは、伝送ブロックのエネルギーよりも低くなる傾向があり、そしてＤＴＸブロックに対するシンボル・エラーの数は、伝送ブロックに対するシンボル・エラーの数よりも多くなる傾向がある。消去されたブロックは、伝送されたブロック・クラスタの左上のテールのところになる傾向がある。
【００３１】
図５Ａ及び図５Ｂは、それぞれ、図４Ａ及び図４Ｂに示された伝送ブロックとＤＴＸブロックの分布のモデルを示す。各図について、“接続”線（”connecting” line）５２８は、伝送ブロックのクラスタ５１０の中心からＤＴＸブロックのクラスタ５２０の中心に引かれる。エネルギー・メトリックは、ガウス・ランダム変数ｘによって近似されることができ、そしてシンボル・エラーの数は、ガウス・ランダム変数ｙによって近似されることができる。ランダム変数ｘ及びｙが相関しない場合、“判断”線（”decision” line）５３０は、接続線５２８に垂直に引かれることができ、そして伝送ブロック・クラスタ５１０とＤＴＸブロック・クラスタ５２０を最適に線引きするために使用されることができる。変数ｘ及びｙが相関する場合、判断線５３０は、接続線５２８にある角度で引かれることができ、そして伝送ブロック・クラスタ５１０とＤＴＸブロック・クラスタ５２０とを線引きするために使用されることができる。判断線５３０の傾きと位置は、以下に説明されるように決定されることができる。
【００３２】
音声通話に関して、トランスポート・ブロックは、ＴｒＣｈ  Ｄ上で断続的に（時間の１％未満で）送られるだけである。その結果、ＤＴＸブロックは、より一般的であり、そして統計値は、ＣＲＣ不合格を有する受信ブロックに対してさらに容易に得られることが可能である。
【００３３】
ＣＲＣ不合格を有する受信ブロックについてのエネルギー・メトリック及びＳＥＲの平均及び偏差は、次のように推定されることができる：
【数１】
2008529454.tif 000004
【００３４】
ここで、ｅｉとｓｉはそれぞれＣＲＣ不合格を有する受信ブロックｉに対するエネルギー・メトリックとＳＥＲであり、μ＾ｅｍとσ＾ｅｍ２はそれぞれエネルギー・メトリックの推定された平均と偏差であり、μ＾ｓｅｒとσ＾ｓｅｒ２はそれぞれＳＥＲの推定された平均と偏差であり、そしてＮは平均と偏差を計算するために使用するＣＲＣ不合格を有する受信ブロックの数である。
【００３５】
受信ブロックｉについて、それぞれエネルギー・メトリックとＳＥＲに対する規格化されたランダム変数ｘｉとｙｉは、次のように計算されることができる：
【数２】
2008529454.tif 000005
【００３６】
各ランダム変数ｘｉとｙｉは、（１）変数の推定された平均を引き算することによるゼロ平均を、そして（２）変数の推定された標準偏差により割り算することによる単位偏差を、有する。
【００３７】
ランダム変数ｘｉとｙｉは、相関することがある。これらの２つのランダム変数の間の相関の大きさは、相関係数によって定量化されることができ、それは次のように計算されることができる：
【数３】
2008529454.tif 000006
【００３８】
ここで、ρ＾は、ランダム変数ｘｉとｙｉに対する推定された相関係数である。ρ＾の大きさは、ｘｉとｙｉとの間の相関の大きさを示し、ρ＾＝０は相関がないことを示す。相関係数は、−１．０から＋１．０までの範囲内、すなわち、１．０＞ρ＾＞−１．０、になるように制約されることがある。
【００３９】
相関ランダム変数ｘｉとｙｉは、非相関ランダム変数ｕｉとｖｉに変換されることができ、次の通りである：
【数４】
2008529454.tif 000007
【００４０】
ここで、
【数５】
2008529454.tif 000008
【００４１】
は、推定された相関係数ρ＾によって決定される要素を含んでいる２×２変換行列である。非相関ランダム変数ｕｉとｖｉは、ゼロ平均、単位偏差、そして円形ガウス分布を有する。式（６）に示された変換によって得られた非相関ランダム変数ｕｉとｖｉに関して、伝送ブロック・クラスタとＤＴＸブロック・クラスタの最適な線引きをする判断線は、これらの２つのクラスタの中心間の接続線に垂直である。これは、判断線の決定を単純にする。
【００４２】
消去検出は、ＣＲＣ不合格を有する受信ブロックが消去ブロックであるか又はＤＴＸブロックであるかどうかを確かめる。表２は、消去検出に関して生じることがある２つの可能性のあるエラーのタイプを列挙する。
【表２】
2008529454.tif 000009
【００４３】
出力制御に関して、偽のアラームは、ＳＩＲ目標値の増加を生じさせる、その理由は、ＤＴＸブロックが消去ブロックとして誤って宣言されるためである。より高いＳＩＲ目標値は、ダウンリンク伝送のための伝送出力の増加を生じさせ、そしてネットワーク容量を減少させる。見落とされた検出は、伝送出力が増加されるはずのときに伝送出力が同じレベルに維持されるようにさせることがあり、その理由は、消去ブロックがＤＴＸブロックとして宣言されるためである。より低い伝送出力は、さらなるトランスポート・ブロックをエラーで受信する確率を増加させ、それは性能を劣化させることがある。偽のアラームは、見落とされた検出よりもさらに有害であると考えられることができる。これは、偽のアラームが長い時間にわたってダウンリンク伝送出力が異常に高く設定されるようにさせることがあるためであり、そして十分に高い偽のアラーム・レートは、不安定性を生じさせることがある。見落とされた検出は、偽のアラームよりも有害でないと考えられることができ、それは影響が耐え難いとしても、見落とされた検出が１つのユーザだけに影響するためである。消去検出は、見落とされた検出の確率（ＰＭＤ）を最小にしつつ、目標値（例えば、０．１％）で又はそれ以下に偽のアラームの確率（ＰＦＡ）を維持することをゴールとして設計されることができる。
【００４４】
ＤＴＸブロック及び伝送ブロックの両方に対する統計値が利用可能である場合、接続線は、非相関ランダム変数ｕｉとｖｉに関してＤＴＸブロック・クラスタと伝送ブロック・クラスタとの間に引かれることができ、そして判断線は、この接続線に垂直に引かれることができる。ＤＴＸブロックに対する統計値だけが利用可能である場合、円形の判断線が、ＤＴＸブロック・クラスタの中心の周りに引かれることができる。消去検出を単純にするために、以下に説明されるように、円形判断線は、複数の直線よりも適切である。
【００４５】
ＤＴＸブロック・クラスタの中心からの判断線の距離は、所望の偽のアラーム確率に基づいて決定されることができる。αより小さい偽のアラーム確率、すなわちＰＦＡ＜α、を実現するために、判断線は、ＤＴＸブロック・クラスタの中心からｄの距離のところに引かれることができる。ＤＴＸクラスタが円形ガウス分布である場合、距離ｄは、次のように計算されることができる：
Ｑ（ｄ）＝α    又は    ｄ＝Ｑ−１（α）                          式（７）
ここで、Ｑ（ｄ）は、正規ガウス分布関数のｄから無限大までの積分である。Ｑ−関数は、この分野では周知である。一般に、距離ｄは、式（７）、コンピュータ・シミュレーション、実験的な測定値、及びその他に基づいて決定されることができる。
【００４６】
ゼロ状態ビットは、消去検出のために使用されることができる。ゼロ状態ビットがＤＴＸブロックに関してほとんど情報を提供しないが、異なる動作シナリオに対する全消去ブロックの半分以上に対して「１」に設定されることを、シミュレーションは示している。したがって、２つの判断線は、ゼロ状態ビットの２つの可能な値（「０」と「１」）に対して規定されることができる。「１」ゼロ状態ビットに対する判断線は、より高い確率で消去ブロックを宣言することを実現するような方法で引かれることができる。
【００４７】
１つの実施形態では、判断線は、ＤＴＸブロックに対する統計値だけに基づいて規定され、そして３つの直線−垂直線、水平線、及び斜め線−によって近似される。次の３つの判断基準のうちのいずれか１つが満足される場合に、ＣＲＣ不合格を有する受信ブロックｉは、消去ブロックとして宣言される。
【００４８】
ｕｉ＜Ｕｔｈ，                                                  式（８）
ｖｉ＞Ｖｔｈ，                                                  式（９）
ｖｉ−ｓ・ｕｉ＞Ｔｔｈ，                                        式（１０）
ここで、Ｕｔｈ、Ｖｔｈ、及びＴｔｈは、それぞれ、垂直線、水平線、及び斜め線に対する３つのしきい値であり、そしてｓは、斜め線の傾きである。判断基準のうちの１つも満足されない場合に、受信ブロックｉは、ＤＴＸブロックとして宣言される。
【００４９】
図６は、特定の動作シナリオについてのＤＴＸブロックに対する非相関ランダム変数ｕｉとｖｉの分布を示す。横軸はランダム変数ｕを表し、そして縦軸はランダム変数ｖを表す。図６は、したがって、変換されたドメインにおけるＤＴＸブロックに関するエネルギー・メトリックとＳＥＲを示す。ＤＴＸブロックの分布は、非相関ランダム変数ｕとｖへの変換の後で、ほぼ一定のクラスタである。図６には示されないが、伝送ブロックについてのクラスタは、変換の後でＤＴＸブロック・クラスタの左と上方に位置する。判断線は、その後、（１）横軸をｕ＝Ｕｔｈのところで横切る垂直線６１０、（２）縦軸をｖ＝Ｖｔｈのところで横切る水平線６１２、及び（３）傾きｓを持ちそしてｖ＝Ｔｔｈのところで縦軸を横切る斜め線６１４、によって近似される。受信ブロックｉは、その（ｕｉ，ｖｉ）座標が消去領域６２０の範囲内になる場合に、消去ブロックであり、消去領域６２０は、線６１０の左、そして線６１２と６１４の上方の区域を含む。受信ブロックｉは、その（ｕｉ，ｖｉ）座標が線６１０，６１２と６１４によって囲まれたＤＴＸ領域６３０の範囲内になる場合に、ＤＴＸブロックである。
【００５０】
３つのしきい値は、例えば、Ｕｔｈ＝−２．５・γ、Ｖｔｈ＝３．０・γ、そしてＴｔｈ＝５．７５・γと規定されることができる、ここで、γは、ゼロ状態ビットによって決定されるスケーリング係数である。このスケーリング係数は、例えば、ゼロ状態ビットが「０」に設定される場合には、γ＝１．０と、そしてゼロ状態ビットが「１」に設定される場合には、γ＝０．６５と設定されることができる。受信ブロックｉに対するゼロ状態ビットが「１」に設定される場合に、受信ブロックは、ＤＴＸブロックになる可能性が小さく、そして、ＤＴＸブロック・クラスタの中心の方に線６１０，６１２そして６１４を引っ張ることによって、ＤＴＸ領域６３０は縮小される。一般に、しきい値及びスケーリング係数γは、コンピュータ・シミュレーション、理論計算、実験的測定値、及びその他によって決定されることができる。
【００５１】
式（８）から（１０）は、消去検出のために使用されることができる判断基準の具体例のセットを示す。消去検出は、同様に、例えば、式（１０）で示される１つの判断基準を用いて実現されることができる。一般に、消去検出は、任意の数の判断基準を用いて実現されることができる。判断基準は、様々な要因、例えば、（例えば、ＤＴＸブロックだけに対して、又はＤＴＸブロックと消去ブロックの両方に対して）利用可能な統計値、に応じて様々な方法で、ランダム変数がそこで計算される方法で、判断線がその中で規定される方法で、及びその他で、規定されることができる。
【００５２】
図７は、本明細書中に説明された技術を使用して、未知のフォーマットを有するトランスポート・チャネルに対して消去検出を実行するためのプロセス７００を示す。消去検出のために使用する様々なパラメータは、初期化される（ブロック７１０）。この初期化は、下記を計算することを必然的に含むことができ、（ａ）式（１）に示されたようなエネルギー・メトリックの平均と標準偏差、（ｂ）式（２）に示されたようなＳＥＲの平均と標準偏差、（ｃ）式（５）に示されたような相関係数、及び（ｄ）式（６）に示されたような変換行列、である。パラメータは、予め決められた数（例えば、Ｎｉｎｉｔ＝１６）のＣＲＣ不合格を有する受信ブロックに対して得られたメトリックに基づいて初期化されることができる。消去検出は、それから、以下に説明されるように、受信ブロックに対して得られたメトリック（例えば、エネルギー・メトリック、ＳＥＲ、そしてゼロ状態ビット）及びパラメータに基づいて、ＣＲＣ不合格を有する各受信ブロックに対して実行される（ブロック７２０）。消去検出のために使用するパラメータは、同様に以下に説明されるように、定期的に更新される（ブロック７３０）。
【００５３】
図８は、受信ブロックに対して消去検出を実行するためのプロセスを示し、それは図７のブロック７２０の１実施形態である。最初に、受信ブロックは、復号されたブロックを得るために復号され、そしてＣＲＣテストが復号されたブロックに実行される（ブロック８１２）。それから、ＣＲＣに合格するかどうかの決定がなされる（ブロック８１４）。ＣＲＣに合格する場合、受信ブロックは、良いブロックと宣言される（ブロック８１６）、そしてプロセスは終了する。それ以外は、受信ブロックについてのエネルギー・メトリック、ＳＥＲ、及びゼロ状態ビットは、例えば、ビタビ・デコーダから得られる（ブロック８１８）。
【００５４】
非相関ランダム変数ｕとｖは、エネルギー・メトリック及びＳＥＲを規格化しそして変換することによって計算される（ブロック８２０）。これは、必然的に（ａ）式（３）に示されたように、エネルギー・メトリック及びエネルギー・メトリックの平均と標準偏差に基づいて相関ランダム変数ｘを計算すること、（ｂ）式（４）に示されたように、ＳＥＲ及びＳＥＲの平均と標準偏差に基づいて相関ランダム変数ｙを計算すること、そして（ｃ）式（６）に示されたように、相関ランダム変数ｘとｙを変換すること、を必要とすることがある。次に、ランダム変数ｕとｖ、ゼロ状態ビット、及び少なくとも１つの判断基準、例えば、式（８）から（１０）に示される、に基づいて、消去検出は、受信ブロックに対して実行される（ブロック８２２）。
【００５５】
ＤＴＸブロックがブロック８２２における評価によって検出され、そして回答がブロック８２４に対して「Ｙｅｓ」である場合、受信ブロックは、ＤＴＸブロックと宣言される（ブロック８２６）。上記のように、パラメータは、ＤＴＸブロックとして検出されている受信ブロックに対して得られたメトリックに基づいて更新されることができる。このケースでは、受信ブロックについてのエネルギー・メトリック及びＳＥＲは、パラメータを更新するための使用のために保存される（ブロック８２８）。それ以外は、回答がブロック８２４に対して「Ｎｏ」である場合、受信ブロックは、消去ブロックと宣言される（ブロック８３０）。
【００５６】
消去検出のために使用されるパラメータμ＾ｅｍ，σ＾ｅｍ，μ＾ｓｅｒ，σ＾ｓｅｒ及びρ＾は、様々な方法で更新されることができる。例えば、これらのパラメータは、各検出されたＤＴＸブロックの後で、予め決められた数の検出されたＤＴＸブロックの後で、一定の時間間隔で、及びその他で更新されることができる。更新間隔は、パラメータがその中で更新される時間間隔であり、そして任意の数の受信ブロックに及ぶことができる。１つの実施形態では、パラメータは、Ｎｕｐｄａｔｅ＝８個のＤＴＸブロックが検出された後で、そして無限インパルス応答（ＩＩＲ：infinite impulse response）フィルタに基づいて更新される。各更新間隔に関して、エネルギー・メトリックの平均と偏差、ＳＥＲの平均と偏差、及び相関係数は、式（１）、（２）及び（５）に示されたように、その更新間隔において受信されたＤＴＸブロックについてのエネルギー・メトリックとＳＥＲに基づいて計算される。パラメータは、それからＩＩＲフィルタを使用して更新され、次の通りである：
【数６】
2008529454.tif 000010
【００５７】
ここで、μ＾ｅｍ，ｉｎｔ，σ＾ｅｍ，ｉｎｔ，μ＾ｓｅｒ，ｉｎｔ，σ＾ｓｅｒ，ｉｎｔ及びρ＾ｉｎｔは、現在の更新間隔において受信されたＤＴＸブロックに基づいて計算されるパラメータであり；
μ＾ｅｍ（ｎ），σ＾ｅｍ（ｎ），μ＾ｓｅｒ（ｎ），σ＾ｓｅｒ（ｎ）及びρ＾（ｎ）は、現在の更新間隔ｎにおいて消去検出のために使用されるパラメータであり；
μ＾ｅｍ（ｎ＋１），σ＾ｅｍ（ｎ＋１），μ＾ｓｅｒ（ｎ＋１），σ＾ｓｅｒ（ｎ＋１）及びρ＾（ｎ＋１）は、次の更新間隔ｎ＋１において消去検出のために使用されるパラメータであり；
βは、ＩＩＲフィルタに関する係数である。
【００５８】
パラメータβとＮｕｐｄａｔｅは、エネルギー・メトリックとＳＥＲの平均と偏差のための平均化の量を決定する。βの小さな値及び／又はＮｕｐｄａｔｅの大きな値は、より多くの平均化（すなわち、より長い期間）に対応し、それは変化しないチャネル及びゆっくりと変化するチャネルに対する推定された平均と偏差の精度を高める。逆に、βの大きな値及び／又はＮｕｐｄａｔｅの小さな値は、より少ない平均化（すなわち、より短い期間）に対応し、それはワイアレス環境における変化に対する平均と偏差のトラッキングを改善する。偏差は、２次の統計値であり、それは平均のような１次の統計値よりも正確な推定のためにより多くのサンプルを必要とする。パラメータβとＮｕｐｄａｔｅは、上記されたもののような数多くの因子に基づいて選択されることができる。フィルタ係数は、例えば、β＝０．０８として設定されることができる。平均と偏差は、それから、Ｎｕｐｄａｔｅ／β＝８／０．０８＝１００のＤＴＸブロックにわたり実効的に計算される。他の値も同様に、β及びＮｕｐｄａｔｅに対して使用されることができる。
【００５９】
式（１１）から（１５）は、ＤＴＸブロックであると検出された受信ブロックのμ＾ｅｍ，ｉｎｔ，σ＾ｅｍ，ｉｎｔ，μ＾ｓｅｒ，ｉｎｔ，σ＾ｓｅｒ，ｉｎｔ及びρ＾ｉｎｔに基づいて更新されるパラメータμ＾ｅｍ，σ＾ｅｍ，μ＾ｓｅｒ，σ＾ｓｅｒ及びρ＾を示す。一般に、パラメータμ＾ｅｍ，σ＾ｅｍ，μ＾ｓｅｒ，σ＾ｓｅｒ及びρ＾は、いずれかのタイプの受信ブロック、例えば、ＤＴＸブロックであると検出された受信ブロック、消去ブロック、及び／又は良いブロック、に対するパラメータに基づいて更新されることができる。
【００６０】
式（３）と（４）において、ＣＲＣ不合格を有する各受信ブロックに対する相関ランダム変数ｘｉとｙｉの計算は、２つの割り算を必要とする、すなわち、ｘｉに対するσ＾ｅｍによる割り算と、ｙｉに対するにσ＾ｓｅｒよる割り算である。そのうえ、式（６）の非相関ランダム変数ｖｉの計算は、（１−ρ＾２）１／２による２つの割り算を必要とする。これらの割り算の全ては、相関ランダム変数及び非相関ランダム変数を次のように規定することによって回避されることができる：
【数７】
2008529454.tif 000011
【００６１】
式（１８）と式（１９）に示されたように、非相関ランダム変数ｕｉ’とｖｉ’は、エネルギー・メトリックとＳＥＲからそして何の割り算もなしで直接計算されることができる。ランダム変数ｕｉ’とｖｉ’は、１の代わりにσ＾ｅｍ・σ＾ｓｅｒ・（１−ρ＾２）１／２の標準偏差を有する。判断基準において使用されるしきい値は、それからＳ＝σ＾ｅｍ・σ＾ｓｅｒ・（１−ρ＾２）１／２係数によってスケーリングされることができる。式（８）から式（１０）で上に説明された実施形態に関して、しきい値は、Ｕ’ｔｈ＝−２．５・γ・Ｓ、Ｖ’ ｔｈ＝３．０・γ・Ｓ、及びＴ’ ｔｈ＝５．７５・γ・Ｓ、と規定されることができる。
【００６２】
本明細書中に記述された検出技術は、上記のように消去検出に対して使用されることができる。一般に、これらの技術は、相関する２つのメトリックに基づく２又はそれより多くの仮定のどちらであるかを区別する必要がある任意の問題に適用可能である。相関係数は、上記のように、２つのメトリックに対して計算され、そして２又はそれより多くの仮定のどちらであるかを区別するために使用される。本明細書中に記述された検出技術は、様々なアプリケーションに対して同様に使用されることができる。ダウンリンクにおける出力制御のための消去検出に対する本技術の使用が、以下に記述される。
【００６３】
２．出力制御
図９は、出力制御手段９００を示し、それは基地局から無線デバイスへ物理チャネル（例えば、ダウンリンクＤＰＣＨ）上で送られるダウンリンク伝送に対する伝送出力を制御するために使用されることができる。出力制御手段９００は、内部ループ９１０及び外部ループ９２０を含む。
【００６４】
内部ループ９１０は、無線デバイスにおいて測定されるように、物理チャネルに対するＳＩＲ目標値に可能な限り近くで、ダウンリンク伝送に対する受信ＳＩＲを維持する。内部ループ９１０に関して、ＳＩＲ推定器９３２は、（例えば、図３のパイロット・フィールド３２６において送られたパイロットに基づいて）ダウンリンク伝送に対する受信ＳＩＲを推定し、そして受信ＳＩＲをＴＰＣ発生器９３４に与える。ＴＰＣ発生器９３４は、同様に、ＳＩＲ目標値調節ユニット９４６からＳＩＲ目標値を受け取り、ＳＩＲ目標値に対して受信ＳＩＲを比較し、そして比較結果に基づいてＴＰＣコマンドを発生する。ＴＰＣコマンドは、ダウンリンク伝送に対する伝送出力の増加を指示するためのＵＰコマンド又は伝送出力の減少を指示するためのＤＯＷＮコマンドのいずれかである。１つのＴＰＣコマンドは、各スロットに対して発生され、そして基地局へアップリンク（クラウド（雲形）９５０）上で送られる。
【００６５】
基地局は、無線デバイスからのアップリンク伝送を処理し、そして各スロットに対する受信ＴＰＣコマンドを得る。受信ＴＰＣコマンドは、無線デバイスによって送られたＴＰＣコマンドのノイズが多いバージョンである。ＴＰＣプロセッサ９５２は、各受信ＴＰＣコマンドを検出し、そしてＴＰＣ判断を与える、それはＵＰコマンド又はＤＯＷＮコマンドが検出されたかどうかを知らせる。伝送（ＴＸ）出力調節ユニット９５４は、ＴＰＣ判断に基づいてダウンリンク伝送のための伝送出力を調節する。ダウンリンク（クラウド９３０）上のパス損失及びフェーディングのために、無線デバイスにおける受信ＳＩＲは継続的にふらつく。内部ループ９１０は、ダウンリンクにおける変化が存在する中で受信ＳＩＲをＳＩＲ目標値に又はその近くに維持しようと試みる。
【００６６】
外部ループ９２０は、（複数の）ＢＬＥＲ目標値が物理チャネル上でダウンリンク伝送に対して達成されるように、ＳＩＲ目標値を継続的に調節する。物理チャネルは、１又はそれより多くのトランスポート・チャネルを搬送し、そして各トランスポート・チャネルは、それぞれのＢＬＥＲ目標値に関係することができる。受信（ＲＸ）データ・プロセッサ９４２は、各トランスポート・チャネル上で受信された各ブロックを処理しそして復号し、各復号されたブロックを検査し、そして受信ブロックについてＣＲＣ合格又はＣＲＣ不合格のいずれかを示すＣＲＣステータスを与える。ＣＲＣ不合格及び未知のフォーマットを有する各受信ブロックに対して、消去検出器９４４は、例えば、ＲＸデータ・プロセッサ９４２によって与えられるエネルギー・メトリック、ＳＥＲ、及びゼロ状態ビットに基づいて、受信ブロックが消去ブロックであるかＤＴＸブロックであるかどうかを決定する。
【００６７】
物理チャネルは、任意の数のトランスポート・チャネルを搬送することができ、そしてこれらのトランスポート・チャネルは、様々な特性を有することがある。ＣＲＣを有するトランスポート・フォーマットを使用するトランスポート・チャネル（例えば、音声通話に対するＴｒＣｈ  Ａ及びＴｒＣｈ  Ｄ）は、出力制御のために使用されることができる。ＣＲＣを用いないトランスポート・フォーマットを使用するトランスポート・チャネル（例えば、ＴｒＣｈ  Ｂ及びＴｒＣｈ  Ｃ）は、一般的に出力制御のために使用されない。表３は、３つのタイプのトランスポート・チャネルを列挙する。
【表３】
2008529454.tif 000012
【００６８】
ＣＲＣを有するトランスポート・チャネルは、連続的にアクティブであり得る（例えば、ＴｒＣｈ  Ａ）又は断続的にアクティブであり得る（例えば、ＴｒＣｈ  Ｄ）。断続的にアクティブなトランスポート・チャネルは、（１）ＤＰＣＣＨ上で送られる既知のフォーマット、又は（２）未知のフォーマット、そのケースでは、ＢＴＦＤ及び消去検出は、トランスポート・チャネルに対して実行される、を有することができる。タイプ１トランスポート・チャネル（例えば、ＴｒＣｈ  Ａ）に関して、各受信ブロックは、良いブロック又は消去ブロックのいずれかであり得る。タイプ２トランスポート・チャネル（例えば、ＴｒＣｈ  Ｄ）に関して、各受信ブロックは、良いブロック、消去ブロック、又はＤＴＸブロックであり得る。
【００６９】
各タイプ１トランスポート・チャネル及び各タイプ２トランスポート・チャネルは、それぞれのＳＩＲ目標値に関係することがあり、それは（１）そのトランスポート・チャネルに対して指定されるＢＬＥＲ目標値、（２）現在のＴＴＩのあいだにトランスポート・チャネルに対して使用されるトランスポート・フォーマット、（３）チャネル状態、及び（４）おそらく他の要因、に依存する。与えられたＢＬＥＲ目標値に関して、高速フェーディング、低速フェーディング、付加的な白色ガウス・ノイズ（ＡＷＧＮ：additive white Gaussian noise）チャネル、及びその他のような異なるチャネル状態に対して、異なるＳＩＲ目標値が必要とされることがある。
【００７０】
ＲＸデータ・プロセッサ９４２は、ダウンリンク伝送を処理し、各トランスポート・チャネルに対する受信ブロックを復号し、各復号されたブロックを検査し、そして各復号されたブロックについてのＣＲＣステータス（ＣＲＣ合格又はＣＲＣ不合格）を与える。各タイプ２トランスポート・チャネルに関して、消去検出器９４４は、各受信ブロックについてのＣＲＣステータス及びメトリックを受け取り、そして受信ブロックについてのブロック・ステータス（良い、消去、又はＤＴＸ）を与える。調節ユニット９４６は、タイプ１トランスポート・チャネル及びタイプ２トランスポート・チャネルについてのブロック・ステータス及びＢＬＥＲ目標値を受け取り、そして物理チャネルに対するＳＩＲ目標値を決定する。調節ユニット９４６は、ブロック・ステータス及びＢＬＥＲ目標値に基づいてＳＩＲ目標値を調節し、その結果、所望の性能が全てのトランスポート・チャネルに対して得られる。調節ユニット９４６は、様々な方式を使用してＳＩＲ目標値を調節できる。
【００７１】
第１の方式では、１つのＳＩＲ目標値は、各タイプ１トランスポート・チャネル及び各タイプ２トランスポート・チャネルに対して維持され、そして各トランスポート・チャネルに対するＳＩＲ目標値は、そのトランスポート・チャネルに対する受信ブロックに基づいて調節される。各タイプ１トランスポート・チャネルに対するＳＩＲ目標値は、各消去ブロックに対してＵＰステップ（例えば、１ｄＢ）だけ増加され、各良いブロックに対してＤＯＷＮステップ（例えば、０．０１ｄＢ）だけ減少されることができる。各タイプ２トランスポート・チャネルに対するＳＩＲ目標値は、各消去ブロックに対してＵＰステップだけ増加され、各良いブロックに対してＤＯＷＮステップだけ減少されることができ、そしてＤＴＸブロックに対して同じレベルで維持される。物理チャネルに対するＳＩＲ目標値は、全てのトランスポート・チャネルの中で最大のＳＩＲ目標値に設定される。第２の方式では、１つのＳＩＲ目標値が、各タイプ１トランスポート・チャネルに対して維持され、そして全ての第１のトランスポート・チャネルの中で最大のＳＩＲ目標値は、消去ブロックがいずれかのタイプ２トランスポート・チャネル上で検出されるときは常に増加される。物理チャネルに対するＳＩＲ目標値は、全ての第１のトランスポート・チャネルの中で最大のＳＩＲ目標値に設定される。第３の方式では、１つのＳＩＲ目標値が、全てのタイプ１トランスポート・チャネル及びタイプ２トランスポート・チャネルに対して維持され、そしてこのＳＩＲ目標値は、これらのトランスポート・チャネルの全てに対する受信ブロックに基づいて調節される。ＳＩＲ目標値は、消去ブロックがいずれかのトランスポート・チャネル上で受信される場合ＵＰステップだけ増加され、ＤＴＸブロックだけが検出される場合同じレベルで維持され、そして少なくとも１つの良いブロックが検出されかつ消去ブロックが検出されない場合ＤＯＷＮステップだけ減少される。第３の方式に関して、ＳＩＲ目標値は、連続的にアクティブなトランスポート・チャネル（例えば、ＴｒＣｈ  Ａ）に対する受信ブロックによって主に調節され、そしてさらに、断続的にアクティブなトランスポート・チャネル（例えば、ＴｒＣｈ  Ｄ）に対する受信ブロックに基づいて調節されて、全てのトランスポート・チャネルに対して所望の性能を実現する。その他の方式も、同様に物理チャネルに対するＳＩＲ目標値を調節するために使用されることができる。
【００７２】
ＤＯＷＮステップ及びＵＰステップは、ＢＬＥＲ目標値及び外部ループに対する所望の収束レートに依存する。より大きなＵＰステップは、タイプ２トランスポート・チャネルに対して使用されることができ、それはＴｒＣｈ  Ｄのような重要な信号を搬送することができる。より大きなＵＰステップ・サイズは、より早くＳＩＲ目標値を上昇させることができ、そしてタイプ２トランスポート・チャネルにおける再伝送及び／又は新たな伝送に対する復号化信頼性を改善する。
【００７３】
図１０は、Ｗ−ＣＤＭＡにおける音声通話に対するＴｒＣｈ  Ａ及びＴｒＣｈ  Ｄの出力制御を実行するためのプロセス１０００を示す。プロセス１０００は、両方のＴｒＣｈ  Ａ及びＴｒＣｈ  Ｄに対して１つのＳＩＲ目標値を維持し、そして上記の第３の方式を実行する。
【００７４】
少なくとも１つのトランスポート・ブロックがその間にＴｒＣｈ  Ａ及び／又はＴｒＣｈ  Ｄ上で受信される各時間間隔のあいだに、各トランスポート・チャネルに対する各受信ブロックは、処理されて（例えば、復号され、ＣＲＣ検査され、そして消去検出されて）、受信ブロックのステータスを決定する（ブロック１０１２）。ブロック１０１２のあいだのＴｒＣｈ  Ｄに対する処理は、図８に示されたように実行されることができる。消去ブロックがＴｒＣｈ  Ｄに対して得られかつ答がブロック１０１４に対して「Ｙｅｓ」である場合に、ＳＩＲ目標値は、大きなＵＰステップ・サイズだけ増加される（ブロック１０１６）。そうでなければ、消去ブロックがＴｒＣｈ  Ａに対して得られかつ答がブロック１０２４に対して「Ｙｅｓ」である場合に、ＳＩＲ目標値は、通常のＵＰステップ・サイズだけ増加される（ブロック１０２６）。ＳＩＲ目標値は、例えば、消去検出に対する高い偽のアラーム・レートに起因する不安定性を回避するために、ＳＩＲｍａｘに制限されることができる（ブロック１０１８）。ブロック１０２４に対して答えが「Ｎｏ」である、それは消去ブロックがＴｒＣｈ  Ａ又はＴｒＣｈ  Ｄのいずれに対しても受信されずかつ良いブロックがＴｒＣｈ  Ａ及び／又はＴｒＣｈ  Ｄに対して得られたことを示す、場合、ＳＩＲ目標値は、ＤＯＷＮステップ・サイズだけ減少される（ブロック１０２８）。ブロック１０１８とブロック１０２８から、プロセスは、ブロック１０１２に戻って、次の時間間隔に対するＳＩＲ調節を実行する。プロセス１０００からのＳＩＲ目標値は、図９に示されたように、ＴＰＣコマンドを発生させるために使用される。
【００７５】
３．システム
図１１は、基地局１１０ｘ及び無線デバイス１２０ｘの１実施形態のブロック図を示す。ダウンリンクにおいて、エンコーダ１１１０は、１又はそれより多くのトランスポート・チャネルに対するトランスポート・ブロックを受け取り、そして適用可能なトランスポート・フォーマットに基づいて各トランスポート・ブロックを処理する（例えば、符号化し、インターリーブし、シンボル・マッピングする）。変調器１１１２は、トランスポート・チャネルを搬送している物理チャネルに対する処理（例えば、チャネル化、スペクトル拡散、スクランブリング、及びその他）を実行し、そしてデータ・チップのストリームを与える。送信機ユニット（ＴＭＴＲ）１１１４は、データ・チップを調整し（例えば、アナログに変換し、増幅し、フィルタし、そして周波数アップコンバートし）、そしてダウンリンク信号を発生し、それはアンテナ１１１６から伝送される。
【００７６】
無線デバイス１２０ｘにおいて、アンテナ１１５２は、ダウンリンク信号を受信し、そして受信機ユニット（ＲＣＶＲ）１１５４に受信した信号を与える。受信機ユニット１１５４は、受信信号を調整し（例えば、フィルタし、増幅し、周波数ダウンコンバートし）、調整された信号をディジタル化し、そしてデータ・サンプルを与える。復調器（Ｄｅｍｏｄ）１１５６は、データ・サンプルを処理し、そして受信シンボル（又は、シンボル推定値）を与える。デコーダ１１５８は、復号されたブロックを得るために各受信ブロックに対する受信シンボルを処理し（例えば、逆マッピングし、逆インターリーブし、そして復号し）、各復号されたブロックを検査し、そして消去検出器１１６０に各復号されたブロックについてのＣＲＣステータスを与える。デコーダ１１５８は、同様に、消去検出器１１６０にＣＲＣ不合格を有する各受信ブロックについてのエネルギー・メトリック、ＳＥＲ、及びゼロ状態ビットを与える。
【００７７】
消去検出器１１６０は、ＣＲＣ不合格及び未知のフォーマットを有する各受信ブロックに対する消去検出を実行し、そしてコントローラ１１７０にそのブロック・ステータス（良い、消去、又はＤＴＸ）を与える。消去検出器１１６０は、図７及び図８に示されたプロセス７００及びプロセス８００を実行することができる。ＳＩＲ推定器１１６２は、データ伝送のために使用する各物理チャネルに対する受信ＳＩＲを推定し、そしてコントローラ１１７０に受信ＳＩＲを与える。コントローラ１１７０は、出力制御を実行し、各受信ブロックのステータスに基づいてＳＩＲ目標値を調節し、そしてダウンリンク物理チャネルの伝送出力を調節するために使用するＴＰＣコマンドを発生する。
【００７８】
アップリンクにおいて、エンコーダ１１８０は、様々なタイプのデータを受け取り、そして処理する（例えば、符号化し、インターリーブし、シンボル・マッピングする）。変調器１１８２は、エンコーダ１１８０からのデータをさらに処理しそしてデータ・チップを与える。ＴＰＣコマンドは、制御データを用いて多重化され、そしてアップリンクＤＰＣＣＨ上で伝送される。送信機ユニット１１８４は、データ・チップを処理し、そしてアップリンク信号を発生する、それはアンテナ１１５２を介して伝送される。基地局１１０ｘにおいて、アンテナ１１１６は、アップリンク信号を受信し、そして受信した信号を与える。受信信号は、受信機ユニット１１２０によって調整されそしてディジタル化され、復調器１１２２によって処理され、そしてデコーダ１１２４によってさらに処理されて、無線デバイス１２０ｘによって送られたデータ及びＴＰＣコマンドを再生する。出力制御プロセッサ１１２８は、ＴＰＣコマンドを受け取り、そして無線デバイス１２０ｘへのダウンリンク伝送の伝送出力を調節する制御を発生する。
【００７９】
コントローラ１１３０と１１７０は、それぞれ基地局１１０ｘと無線デバイス１２０ｘにおける動作を管理する。コントローラ１１３０と１１７０は、しかも消去検出のための様々な機能、及びそれぞれアップリンクとダウンリンクに対する出力制御を実行することができる。各コントローラは、しかもそのリンクに対してＳＩＲ推定器及び／又は消去検出器を与えることができる。メモリ・ユニット１１３２と１１７２は、それぞれコントローラ１１３０と１１７０に対するデータ及びプログラム・コードを記憶する。
【００８０】
本明細書中に記述された検出技術は、タイプ２トランスポート・チャネルの性能を向上させる。外部ループは、通常タイプ１トランスポート・チャネル上だけで動作する。タイプ２トランスポート・チャネル（例えば、ＴｒＣｈ  Ｄ）は、一般的に出力制御に対して考慮されない。タイプ２トランスポート・チャネルの性能は、そのように出力制御されるタイプ１トランスポート・チャネルによって設定されるＳＩＲ目標値に依存する。ある複数の事例では、タイプ１トランスポート・チャネルによって設定されるＳＩＲ目標値は、タイプ２トランスポート・チャネル上の信頼性のある伝送のためには低すぎる。これは、無線デバイスが重要なシグナリング・メッセージ及び／又はデータを見落とすことを引き起こすことがあり、そして別の有害な効果をさらに引き起こすことがある。例えば、無線デバイスが音声通話に対するアクティビティがない長い期間の間にデータ・コールを追加しようと試みる場合に、問題を悪化させる。ＡＭＲに関して、アクティビティが無いことは、音声アクティビティよりも低いＳＩＲを必要とし、そしてＳＩＲ目標値は、アクティビティがないこの長い期間の間に低い値に導かれる。低いＳＩＲ目標値は、データ・コールを設定するためにＴｒＣｈ  Ｄ上で送られるシグナリングに対して高いＢＬＥＲを引き起こす。より高いＢＬＥＲは、結果として通話設定に関する高い不合格率になる。本明細書中に記述された検出技術を用いて、タイプ２トランスポート・チャネルに対する受信ブロックは、信頼性良く検出されることが可能であり、そして出力制御のために使用されることが可能であり、その結果、良い性能がタイプ１トランスポート・チャネルとタイプ２トランスポート・チャネルの両方に対して実現されることが可能である。
【００８１】
明確化のために、検出技術は、Ｗ−ＣＤＭＡにおける音声通話に対してダウンリンク上で使用されるトランスポート・チャネルに対して具体的に説明されていきている。それゆえ、トランスポート・チャネル、物理チャネル、ＳＩＲ目標値、及びＢＬＥＲ目標値のようなＷ−ＣＤＭＡ用語が、上の記述において使用されている。一般に、これらの技術は、任意の無線通信システムに対して、そして受信機が伝送のために使用されるフォーマットを知らない任意の伝送に対して使用されることができる。他のシステムは、別の用語を、チャネル（例えば、トラフィック・チャネル又は物理チャネル）、ＳＩＲ目標値（例えば、目標ＳＮＲ），ＢＬＥＲ目標値（例えば、目標フレーム・エラー・レート（ＦＥＲ：frame error rate））、及びその他、に対して使用することができる。
【００８２】
本明細書中に記述された検出技術は、多様な手段によって実行されることができる。例えば、これらの技術は、ハードウェア、ソフトウェア、又はこれらの組み合わせで実行されることができる。ハードウェア・インプリメンテーションに関して、検出を実行するために使用される処理ユニットは、１又はそれより多くの用途特定集積回路（ＡＳＩＣｓ：application specific integrated circuits）、ディジタル信号プロセッサ（ＤＳＰｓ：digital signal processors）、ディジタル信号処理デバイス（ＤＳＰＤｓ：digital signal processing devices）、プログラマブル論理デバイス（ＰＬＤｓ：programmable logic devices）、フィールド・プログラマブル・ゲートアレイ（ＦＰＧＡｓ：field programmable gate arrays）、プロセッサ、コントローラ、マイクロ−コントローラ、マイクロプロセッサ、本明細書中に説明した機能を実行するために設計された他の電子ユニット、又はこれらの組み合わせの中で実行されることができる。
【００８３】
ソフトウェア・インプリメンテーションに関して、検出技術は、本明細書中に説明された機能を実行するモジュール（例えば、手順、機能、及びその他）を用いて実行されることができる。ソフトウェア・コードは、メモリ・ユニット（例えば、図１１のメモリ・ユニット１１７２）中に記憶されることができ、そしてプロセッサ（例えば、図１１のコントローラ１１７０）によって実行されることができる。メモリ・ユニットは、プロセッサの内部に、又はプロセッサの外部に与えられることができる。
【００８４】
見出しは、参考のためにそしてあるセクションの位置を見つけることを助けるためにここに含まれる。これらの見出しは、その場所でその下で説明される概念の範囲を制限することを目的にするのではない、そしてこれらの概念は、明細書全体を通して他のセクションにおいて適用可能性を有することができる。
【００８５】
開示された複数の実施形態のこれまでの説明は、本技術分野に知識のあるいかなる者でも、本発明を作成すること又は使用することを可能にするために提供される。これらの実施形態への種々の変形は、当業者に容易に明らかになるであろう、そして、本明細書中に規定された一般的な原理は、発明の精神又は範囲から逸脱することなく、別の実施形態に適用されることができる。それゆえ、本発明は、本明細書中に示された複数の実施形態に限定することを意図したものではなく、本明細書中に開示された原理及び新規な機能と整合する最も広い範囲に適用されるべきである。
【図面の簡単な説明】
【００８６】
【図１】図１は、無線通信システムを示す。
【図２】図２は、Ｗ−ＣＤＭＡにおいて音声通話のために使用されるトランスポート・チャネルを示す。
【図３】図３は、Ｗ−ＣＤＭＡにおけるダウンリンクＤＰＣＨのフォーマットを示す。
【図４Ａ】図４Ａは、２つの異なる動作シナリオに関する伝送ブロック及びＤＴＸブロックの分布を示す。
【図４Ｂ】図４Ｂは、２つの異なる動作シナリオに関する伝送ブロック及びＤＴＸブロックの分布を示す。
【図５Ａ】図５Ａは、図４Ａに示された分布のモデルを示す。
【図５Ｂ】図５Ｂは、図４Ｂに示された分布のモデルを示す。
【図６】図６は、ＤＴＸブロックについての非相関ランダム変数の分布を示す。
【図７】図７は、トランスポート・チャネルに対して消去検出を実行するためのプロセスを示す。
【図８】図８は、受信ブロックに対して消去検出を実行するためのプロセスを示す。
【図９】図９は、出力制御手段を示す。
【図１０】図１０は、音声通話に対して出力制御を実行するためのプロセスを示す。
【図１１】図１１は、基地局及び無線デバイスのブロック図を示す。
【符号の説明】
【００８７】
１００…無線通信システム，１２０…無線デバイス，５２８…接続線，５３０…判断線，９００…出力制御手段，１１１６…アンテナ，１１５２…アンテナ。
【図１】
2008529454.tif 000013
【図２】
2008529454.tif 000014
【図３】
2008529454.tif 000015
【図４Ａ】
2008529454.tif 000016
【図４Ｂ】
2008529454.tif 000017
【図５Ａ】
2008529454.tif 000018
【図５Ｂ】
2008529454.tif 000019
【図６】
2008529454.tif 000020
【図７】
2008529454.tif 000021
【図８】
2008529454.tif 000022
【図９】
2008529454.tif 000023
【図１０】
2008529454.tif 000024
【図１１】
2008529454.tif 000025
【国際調査報告】
2008529454.tif 000026
2008529454.tif 000027
2008529454.tif 000028
2008529454.tif 000029
2008529454.tif 000030
2008529454.tif 000031